(57)【要約】【課題】      再生時の操作を簡単に行うことができる放送情報記憶装置を提供する。【解決手段】  記憶手段３１０に記憶されているいずれかの定期の受信時間帯情報で示される定期の受信時間帯に達したことを判別すると、当該定期の受信時間帯に達した定期の受信時間帯情報に対応する放送局情報で示される放送局の放送情報をラジオ受信手段２１１により受信し、受信した放送情報を、記憶手段３１０の放送情報記憶部３１２に、定期の受信時間帯情報に対応するフォルダ名（「予約番号○○」；グループ識別情報）に対応させて、当該フォルダ名に対応させて記憶されている放送情報の受信順序が判別可能な受信順序判別情報とともに記憶させ、入力キーからフォルダ名を含むグループ別全再生要求情報が入力されると、当該グループ別全再生要求情報に含まれているフォルダ名に対応する放送情報を、各放送情報に対応する受信順序判別情報で示される受信順序の順に記憶手段３１０から読み出して、音声出力回路２５０及びスピーカ１３０で再生する。【選択図】    図１
2006217534.tif 000002
【特許請求の範囲】
【請求項１】
放送情報を受信する受信手段と、
記憶手段と、
グループ識別情報を含むグループ別全再生要求情報を入力可能な入力手段と、
記憶手段に記憶されている放送情報を音声で再生する音声再生手段と、
処理手段を備え、
前記記憶手段は、放送局情報、複数の定期の受信時間帯情報、放送情報及び当該放送情報の受信順序判別情報をグループ識別情報に対応させて記憶し、
前記処理手段は、
前記記憶手段に記憶されているいずれかの定期の受信時間帯情報で示される定期の受信時間帯に達したことを判別すると、当該定期の受信時間帯に達した定期の受信時間帯情報に対応する放送局情報で示される放送局の放送情報を前記受信手段により受信し、受信した放送情報を、前記記憶手段に、前記定期の受信時間帯情報に対応するグループ識別情報に対応させて、当該グループ識別情報に対応させて記憶されている放送情報の受信順序が判別可能な受信順序判別情報とともに記憶させ、
前記入力手段からグループ識別情報を含むグループ別全再生要求情報が入力されると、当該グループ別全再生要求情報に含まれているグループ識別情報に対応する放送情報を、各放送情報に対応する受信順序判別情報に基づいて判別した受信順序の順に前記記憶手段から読み出して前記音声再生手段で再生する、
ことを特徴とする放送情報記憶装置。
【請求項２】
放送情報を受信する受信手段と、
記憶手段と、
グループ識別情報及び受信順序判別情報を含むグループ別部分再生要求情報を入力可能な入力手段と、
記憶手段に記憶されている放送情報を音声で再生する音声再生手段と、
処理手段を備え、
前記記憶手段は、放送局情報、定期の受信時間帯情報、放送情報及び当該放送情報の受信順序判別情報をグループ識別情報に対応させて記憶し、
前記処理手段は、
前記記憶手段に記憶されている定期の受信時間帯情報で示される定期の受信時間帯に達したことを判別すると、当該定期の受信時間帯に達した定期の受信時間帯情報に対応する放送局情報で示される放送局の放送情報を前記受信手段により受信し、受信した放送情報を、前記記憶手段に、前記定期の受信時間帯情報に対応するグループ識別情報に対応させて、当該グループ識別情報に対応させて記憶されている放送情報の受信順序が判別可能な受信順序判別情報とともに記憶させ、
前記入力手段からグループ識別情報と受信順序判別情報を含むグループ別部分再生要求情報が入力されると、当該グループ別部分再生要求情報に含まれているグループ識別情報に対応して前記記憶手段に記憶されている放送情報の中から、当該グループ別部分再生要求情報に含まれている受信順序判別情報で示される受信順序以降に受信された放送情報を判別し、判別した放送情報を、各放送情報に対応する受信順序判別情報に基づいて判別した受信順序の順に前記記憶手段から読み出して前記音声再生手段で再生する、
ことを特徴とする放送情報記憶装置。
【請求項３】
放送情報を受信する受信手段と、
記憶手段と、
放送情報の再生要求情報とグループ識別情報を含む未再生放送情報の表示要求情報を入力可能な入力手段と、
表示手段と、
記憶手段に記憶されている放送情報を音声で再生する音声再生手段と、
処理手段を備え、
前記記憶手段は、放送局情報、定期の受信時間帯情報、放送情報及び当該放送情報の受信順序判別情報と再生識別情報をグループ識別情報に対応させて記憶し、
前記処理手段は、
前記記憶手段に記憶されている定期の受信時間帯情報で示される定期の受信時間帯に達したことを判別すると、当該定期の受信時間帯に達した定期の受信時間帯情報に対応する放送局情報で示される放送局の放送情報を前記受信手段により受信し、受信した放送情報と当該放送情報を再生したか否かを示す再生識別情報を、前記記憶手段に、前記定期の受信時間帯に対応するグループ識別情報に対応させて、当該グループ識別情報に対応させて記憶されている放送情報の受信順序が判別可能な受信順序判別情報とともに記憶させ、
前記入力手段から放送情報の再生要求情報が入力されると、当該再生要求情報で示される放送情報を前記記憶手段から読み出し、読み出した放送情報を前記音声再生手段で再生させるとともに、前記記憶手段に、当該放送情報に対応させて、当該放送情報を再生したことを示す再生識別情報を記憶し、
前記入力手段からグループ識別情報含む未再生放送情報の表示要求情報が入力されると、当該未再生放送情報の表示要求情報に含まれているグループ識別情報に対応させて前記記憶手段に記憶されている放送情報の中から、各放送情報に対応する再生識別情報が未再生を示している放送情報を判別し、判別した放送情報を示す放送情報判別情報を前記表示手段に表示する、
ことを特徴とする放送情報記憶装置。
【請求項４】
放送情報を受信する受信手段と、
記憶手段と、
放送情報の再生要求情報と、グループ識別情報を含む未再生放送情報の再生要求情報を入力可能な入力手段と、
記憶手段に記憶されている放送情報を音声で再生する音声再生手段と、
処理手段を備え、
前記記憶手段は、放送局情報、定期の受信時間帯情報、放送情報及び当該放送情報の受信順序判別情報と再生識別情報をグループ識別情報に対応させて記憶し、
前記処理手段は、
前記記憶手段に記憶されている定期の受信時間帯情報で示される定期の受信時間帯に達したことを判別すると、当該定期の受信時間帯に達した定期の受信時間帯情報に対応する放送局情報で示される放送局の放送情報を前記受信手段により受信し、受信した放送情報と当該放送情報を再生したか否かを示す再生識別情報を、前記記憶手段に、前記定期の受信時間帯情報に対応するグループ識別情報に対応させて、当該グループ識別情報に対応させて記憶されている放送情報の受信順序が判別可能な受信順序判別情報とともに記憶させ、
前記入力手段から放送情報の再生要求情報が入力されると、当該再生要求情報で示される放送情報を前記記憶手段から読み出し、読み出した放送情報を前記音声再生手段で再生させるとともに、前記記憶手段に、当該放送情報に対応させて、当該放送情報を再生したことを示す再生識別情報を記憶し、
前記入力手段からグループ識別情報含む未再生放送情報の再生要求情報が入力されると、当該未再生放送情報の再生要求情報に含まれているグループ識別情報に対応させて前記記憶手段に記憶されている放送情報の中から、各放送情報に対応する再生識別情報が未再生を示している放送情報を判別し、判別した放送情報を、各放送情報に対応する受信順序判別情報に基づいて判別した受信順序の順に前記記憶手段から読み出して前記音声再生手段で再生する、
ことを特徴とする放送情報記憶装置。
【請求項５】
放送情報を受信する受信手段と、
記憶手段と、
処理手段を備え、
前記記憶手段は、放送局情報及び定期の受信時間帯情報をグループ識別情報に対応させて記憶する予約情報記憶部と、放送情報及び当該放送情報の受信順序判別情報をグループ識別情報に対応させて記憶する放送情報記憶部を有し、
前記放送情報記憶部には、前記グループ識別情報に対応するフォルダが設定されており、
前記処理手段は、
前記記憶手段の予約情報記憶部に記憶されている定期の受信時間帯情報で示される定期の受信時間帯に達したことを判別すると、当該定期の受信時間帯に達した定期の受信時間帯情報に対応する放送局情報で示される放送局の放送情報を前記受信手段により受信し、受信した放送情報を、当該定期の受信時間帯に達した定期の受信時間帯情報に対応するグループ識別情報に対応するフォルダに記憶させ、
当該フォルダが前記放送情報記憶部に存在しない場合には、当該グループ識別情報に対応するフォルダを前記放送情報記憶部に設定する、
ことを特徴とする放送情報記憶装置。
【発明の詳細な説明】
【技術分野】
【０００１】
本発明は、ラジオやテレビ等の放送情報を記憶する放送情報記憶装置に関する。
【背景技術】
【０００２】
テレビ等で放送されている番組の放送情報を録画予約する際に、予約番号に対応して、録画する番組のチャンネル、日付、曜日、受信時間帯（録画開始時間、録画終了時間）等の予約情報を設定可能であるとともに、当該番組の放送情報のジャンル（映画、ドラマ等のグループ識別情報）を予約情報として設定可能な放送情報記憶装置が知られている（特許文献１参照）。
放送情報記憶装置は、予約情報として設定されている日付の録画開始時間に達したことを判別したら、設定されているチャネルの放送情報を、予約番号に対応させて日付や設定されているジャンルとともに記憶（録画）する。そして、設定されている録画終了時間に達したことを判別したら、放送情報の記憶を終了する。
使用者は、放送情報記憶装置に記憶されている放送情報を再生する際に、記憶されている放送情報のジャンルを指定することができる。放送情報記憶装置には、入力されたジャンルとともに記憶されている放送情報のリストが表示され、使用者は、リストの中から再生する放送情報を選択して再生することができる。
【特許文献１】特開２０００−１３８８８６号公報
【発明の開示】
【発明が解決しようとする課題】
【０００３】
上記従来の技術で記載した放送情報記憶装置では、異なる受信時間帯に放送される放送情報は、異なる予約番号に対応して記憶される。
ところで、放送情報の中には、例えば、語学学習の番組のように、１週間のうち複数の異なる受信時間帯においてシリーズで放送される（例えば、今週の水曜日の１７時〜１７時１５分に“レッスン１”、今週の金曜日の２２時〜２２時１５分に“レッスン２”、来週の水曜日の１７時〜１７時１５分に“レッスン３”・・）ものがある。この場合、水曜日に放送される放送情報と、金曜日に放送される放送情報は、同じジャンルが設定されていても異なる予約番号に対応して記憶される。したがって、当該放送情報をシリーズで再生する場合、再生する放送情報を受信順序の順に１つずつ選択して再生する必要があり、再生時の操作が面倒であった。
そこで、本発明が解決しようとする課題は、再生時の操作を簡単に行うことができる放送情報記憶装置を提供することである。
【課題を解決するための手段】
【０００４】
上記課題を達成するため、各請求項記載の発明が構成される。
（請求項１に記載の発明）
請求項１に記載の発明によれば、放送情報を受信する受信手段と、記憶手段と、グループ識別情報を含むグループ別全再生要求情報を入力可能な入力手段と、記憶手段に記憶されている放送情報を音声で再生する音声再生手段と、処理手段を備える放送情報記憶装置が構成される。
記憶手段は、放送局情報、複数の定期の受信時間帯情報、放送情報及び当該放送情報の受信順序判別情報をグループ識別情報に対応させて記憶する。
処理手段は、記憶手段に記憶されているいずれかの定期の放送時間帯情報で示される定期の受信時間帯に達したことを判別すると、当該定期の受信時間帯に達した定期の受信時間帯情報に対応する放送局情報で示される放送局の放送情報を受信手段により受信し、受信した放送情報を、記憶手段に、定期の受信時間帯情報に対応するグループ識別情報に対応させて、当該グループ識別情報に対応させて記憶されている放送情報の受信順序が判別可能な受信順序判別情報とともに記憶させる。
また、入力手段からグループ識別情報を含むグループ別全再生要求情報が入力されると、当該グループ別全再生要求情報に含まれているグループ識別情報に対応する放送情報を、各放送情報に対応する受信順序判別情報に基づいて判別した受信順序の順に記憶手段から読み出して音声再生手段で再生する。
【０００５】
「グループ識別情報」は、放送情報をグループ分け可能な情報であればよく、予約番号、放送情報を記憶するフォルダの識別情報（フォルダ名等）、タイトル等が含まれる。グループ識別情報は、放送情報に対応して放送情報記憶装置で自動的に設定されてもよいし、使用者により設定されていてもよい。また、一度に記憶されているグループ識別情報は、単数でもよいし、複数でもよい。
「入力手段」からは、典型的には、グループ識別情報、放送局情報、定期の受信時間帯情報が入力され、当該入力された放送局情報、定期の受信時間帯情報が、当該入力されたグループ識別情報に対応して、記憶手段に記憶される。
「グループ別全再生要求情報」は、同じグループ識別情報に対応して記憶されている放送情報を全て受信順序の順に再生することを要求する。
「放送局情報」は、放送情報を発信する発信元を特定することができればよく、発信元の放送情報を受信するための受信周波数、放送局のチャンネル（チャンネルに対応して受信周波数が記憶されている場合）、放送局の名前（放送局の名前に対応して受信周波数が記憶されている場合）、放送局の番号（番号に対応して受信周波数が記憶されている場合）等が含まれる。
「受信時間帯情報」としては、例えば、曜日、開始時刻と終了時刻が設定される。この際、受信時間帯の開始時刻は、予約された放送情報が確実に開始されているのが好ましく、したがって、入力手段を用いて使用者により設定された受信時間帯の開始時刻よりも少し前に放送情報の記憶が開始されるにように設定されていてもよい。この場合、この少し前の時刻からの時間も受信時間帯として含んでも良い。また、受信時間帯の終了時刻は、予約された放送情報が確実に終了されているのが好ましく、したがって、入力手段を用いて使用者により設定された終了時刻よりも少し後に放送情報の記憶が停止されるように設定されていてもよい。この場合、この少し後の時刻までの時間も受信時間帯として含んでも良い。
「受信順序判別情報」は、所定の受信時間帯となる度に、同じグループ識別情報に対応して定期的に記憶される複数の放送情報について、受信の順序が判別可能であればよく、日付や日時でもよいし、番号（１回目、２回目等）でもよい。
【０００６】
請求項１に記載の放送情報記憶装置によれば、同じグループ識別情報に対応させて複数の受信時間帯の放送情報を定期的に記憶することができるとともに、受信順序の順に連続して再生することができる。これにより、使用者は、複数の受信時間帯においてシリーズで放送された放送情報を受信順序の順に再生する場合、再生する放送情報を１つずつ選択する必要がなく、再生時の操作を簡単に行うことができる。
【０００７】
（請求項２に記載の発明）
請求項２に記載の発明によれば、放送情報を受信する受信手段と、記憶手段と、グループ識別情報及び受信順序判別情報を含むグループ別部分再生要求情報を入力可能な入力手段と、記憶手段に記憶されている放送情報を音声で再生する音声再生手段と、処理手段を備える放送情報記憶装置が構成される。
記憶手段は、放送局情報、定期の受信時間帯情報、放送情報及び当該放送情報の受信順序判別情報をグループ識別情報に対応させて記憶する。
処理手段は、記憶手段に記憶されている定期の受信時間帯情報で示される定期の受信時間帯に達したことを判別すると、当該定期の受信時間帯に達した定期の受信時間帯情報に対応した放送局情報で示される放送局の放送情報を受信手段により受信し、受信した放送情報を、記憶手段に、定期の受信時間帯情報に対応するグループ識別情報に対応させて、当該グループ識別情報に対応させて記憶されている放送情報の受信順序が判別可能な受信順序判別情報とともに記憶させ、
入力手段からグループ識別情報と受信順序判別情報を含むグループ別部分再生要求情報が入力されると、当該グループ別部分再生要求情報に含まれているグループ識別情報に対応して記憶手段に記憶されている放送情報の中から、当該グループ別部分再生要求情報に含まれている受信順序判別情報で示される受信順序以降に受信された放送情報を判別し、判別した放送情報を、各放送情報に対応する受信順序判別情報に基づいて判別した受信順序の順に記憶手段から読み出して音声再生手段で再生する。
「グループ別部分再生要求情報」は、同じグループ識別情報に対応して記憶されている放送情報のうち、当該グループ別部分再生要求情報に含まれている受信順序判別情報で示される受信順序以降に受信された放送情報を受信順序の順に再生することを要求する。
なお、１つのグループ識別情報に対応して記憶される「定期の受信時間帯情報」は、単数でもよいし、複数でもよい。
【０００８】
請求項２に記載の放送情報記憶装置によれば、同じグループ識別情報に対応させて同じ
受信時間帯に放送される放送情報を定期的に記憶することができる。また、同じグループ識別情報に対応して定期的に記憶されている同じ受信時間帯の放送情報のうち、入力手段を用いて入力された受信順序判別情報で示される受信順序以降に受信された放送情報を受信順序の順に連続して再生することができる。これにより、使用者は、同じ受信時間帯においてシリーズで放送される放送情報を受信順序の順に再生する場合、再生する放送情報を１つずつ選択する必要がなく、再生時の操作を簡単に行うことができる。
また、シリーズの放送情報のうち、未再生の放送情報を再生する際に、使用者は、再生済の放送情報（例えば、未再生の放送情報の直前の再生済みの放送情報）も再び再生したい場合がある。この場合、本発明の放送情報記憶装置を用いれば、再生済みの放送情報の受信順序判別情報をグループ別部分再生要求情報に含ませればよいので、再生時の設定操作を簡単に行うことができる。
【０００９】
（請求項３に記載の発明）
請求項３に記載の発明によれば、放送情報を受信する受信手段と、記憶手段と、記憶手段に記憶されている放送情報の再生要求情報とグループ識別情報含む未再生放送情報の表示要求情報を入力可能な入力手段と、表示手段と、放送情報を音声で再生する音声再生手段と、処理手段を備える放送情報記憶装置が構成される。
記憶手段は、放送局情報、定期の受信時間帯情報、放送情報及び当該放送情報の受信順序判別情報と再生識別情報をグループ識別情報に対応させて記憶する。
処理手段は、記憶手段に記憶されている定期の受信時間帯情報で示される定期の受信時間帯に達したことを判別すると、当該定期の受信時間帯に達した定期の受信時間帯情報に対応した放送局情報で示される放送局の放送情報を受信手段により受信し、受信した放送情報と当該放送情報を再生したか否かを示す再生識別情報を、記憶手段に、定期の受信時間帯に対応するグループ識別情報に対応させて、当該グループ識別情報に対応させて記憶されている放送情報の受信順序が判別可能な受信順序判別情報とともに記憶させる。
また、入力手段から放送情報の再生要求情報が入力されると、当該再生要求情報で示される放送情報を記憶手段から読み出し、読み出した放送情報を音声再生手段で再生させるとともに、記憶手段に、当該放送情報に対応させて、当該放送情報を再生したことを示す再生識別情報を記憶する。
入力手段からグループ識別情報含む未再生放送情報の表示要求情報が入力されると、当該未再生放送情報の表示要求情報に含まれているグループ識別情報に対応させて記憶手段に記憶されている放送情報の中から、放送情報に対応する再生識別情報が未再生を示している放送情報を判別し、判別した放送情報を示す放送情報判別情報を表示手段に表示する。
再生識別情報は、再生済みの放送情報にのみ当該放送情報に対応させて記憶手段に記憶させてもよいし、未再生の放送情報にのみ当該放送情報に対応させて記憶させ再生した場合に消去してもよい。また、再生済みの放送情報と未再生の放送情報について相違する再生識別情報を双方の放送情報に対応させて記憶させてもよい。
表示手段に表示される「放送情報判別情報」は、使用者が各放送情報を区別可能な態様の表示情報であればよい。「放送情報判別情報」は、各放送情報の受信順序が判別可能な態様であることが好ましく、例えば、当該放送情報が受信された（あるいは記憶された）日付あるいは日時、また、シリーズの何番目の番組であるかを示す情報（受信した順序）等が好ましい。
なお、１つのグループ識別情報に対応して記憶される「定期の受信時間帯情報」は、単数でもよいし、複数でもよい。
請求項３に記載の発明によれば、未再生の放送情報を一覧表示することができる。これにより、使用者は未再生の放送情報を把握し易い。
【００１０】
（請求項４に記載の発明）
請求項４に記載の発明によれば、放送情報を受信する受信手段と、記憶手段と、記憶手段に記憶されている放送情報の再生要求情報と、グループ識別情報含む未再生放送情報の再生要求情報を入力可能な入力手段と、放送情報を音声で再生する音声再生手段と、処理手段を備える放送情報記憶装置が構成される。
記憶手段は、放送局情報、定期の受信時間帯情報及び放送情報をグループ識別情報に対応させて記憶する。
処理手段は、記憶手段に記憶されている定期の受信時間帯情報で示される定期の受信時間帯に達したことを判別すると、当該定期の受信時間帯に達した定期の受信時間帯情報が記憶されている放送局情報で示される放送局の放送情報を受信手段により受信し、受信した放送情報と当該放送情報を再生したか否かを示す再生識別情報を、記憶手段に、放送局情報に対応するグループ識別情報に対応させて、当該グループ識別情報に対応させて記憶されている放送情報の受信順序が判別可能な受信順序判別情報とともに記憶させ、
入力手段から放送情報の再生要求情報が入力されると、当該再生要求情報で示される放送情報を記憶手段から読み出し、読み出した放送情報を音声再生手段で再生させるとともに、記憶手段に、当該放送情報に対応させて、当該放送情報を再生したことを示す再生識別情報を記憶し、
入力手段からグループ識別情報含む未再生放送情報の再生要求情報が入力されると、当該未再生放送情報の再生要求情報に含まれているグループ識別情報に対応させて記憶手段に記憶されている放送情報の中から、各放送情報に対応する再生識別情報が未再生を示している放送情報を判別し、判別した放送情報を、各放送情報に対応する受信順序情報に基づいて判別した受信順序の順に記憶手段から読み出して音声再生手段で再生する。
なお、１つのグループ識別情報に対応して記憶される「定期の受信時間帯情報」は、単数でもよいし、複数でもよい。
請求項４に記載の発明によれば、未再生の放送情報を抽出して、自動的に再生することができる。これにより、使用者が未再生の放送情報を再生する操作が簡単であり便利である。
【００１１】
（請求項５に記載の発明）
請求項５に記載の発明によれば、放送情報を受信する受信手段と、記憶手段と、処理手段を備える放送情報記憶装置が構成される。
記憶手段は、放送局情報及び定期の受信時間帯情報をグループ識別情報に対応させて記憶する予約情報記憶部と、放送情報及び当該放送情報の受信順序判別情報をグループ識別情報に対応させて記憶する放送情報記憶部を有している。放送情報記憶部には、グループ識別情報に対応するフォルダが設定されている。
処理手段は、記憶手段の予約情報記憶部に記憶されている定期の受信時間帯情報で示される定期の受信時間帯に達したことを判別すると、当該定期の受信時間帯に達した定期の受信時間帯情報に対応する放送局情報で示される放送局の放送情報を受信手段により受信し、受信した放送情報を、当該定期の受信時間帯に達した定期の受信時間帯情報に対応するグループ識別情報に対応するフォルダに記憶させる。当該フォルダが放送情報記憶部に存在しない場合には、当該グループ識別情報に対応するフォルダを放送情報記憶部に設定する。
「フォルダ」は、記憶手段の中の記憶エリアの概念であり、実際の記憶エリアは連続していなくてもよい。したがって、実際には、同じフォルダに記憶される放送情報には、同じ識別情報が付されるだけでもよい。この場合、「フォルダに記憶させる」とは、同じ識別情報を付して記憶手段に記憶することを言う。
グループ識別情報に対応するフォルダが放送情報記憶部に存在しない場合としては、例えば、グループ識別情報がフォルダの識別情報（フォルダ名等）であり、このフォルダ識別情報が変更された（フォルダ名がリネームされた）場合、当該フォルダが他の記憶手段（例えば、メモリカードや接続したＰＣの記憶手段）に移動された場合、当該フォルダが記憶されていたメモリカード等の記憶媒体が交換された場合等を含む。
処理手段がグループ識別情報に対応するフォルダを放送情報記憶部に設定するタイミングとしては、当該フォルダが存在しなくなった場合であればよく、当該フォルダが存在しなくなった時、当該フォルダに放送情報を記憶させる時を含む。
請求項５に記載の発明によれば、使用者により所望のタイミングで、グループ識別情報（フォルダ識別情報、例えばフォルダ名）に対応するフォルダがリネームされた場合等、当該フォルダが存在しなくなった場合に、放送情報記憶装置は、グループ識別情報に対応するフォルダを放送情報記憶部に設定する。そして、次に当該グループ識別情報に対応して受信した放送情報は、設定したフォルダに記憶させることができる。したがって、フォルダに名称を付けて分類して管理するための操作等が容易であり、分類して管理してあれば、再生時の操作を簡単に行うことができる。
【発明の効果】
【００１２】
本発明によれば、使用者が、再生時の操作を簡単に行うことができる放送情報記憶装置が提供されることとなった。
【発明を実施するための最良の形態】
【００１３】
（第１の実施の形態）
以下に、本発明を実施する第１の実施の形態を、図１〜図１９を参照して説明する。
本実施の形態では、本発明の放送情報記憶装置を、ラジオの音声を録音して再生可能な録音再生装置に適用した場合について説明する。本実施の形態の録音再生装置では、所定の予約番号に対応して、使用者が録音を希望する番組が放送される、チャンネル、及び複数の曜日と時間帯を予め設定しておく。これにより、録音再生装置は、当該予約番号に対応するフォルダ名のフォルダに、複数の曜日にシリーズで放送される同じ番組の放送情報を定期的に録音（記憶）し、蓄積しておくことができる。そして、フォルダ名が指定されると、同じフォルダ名に対応して記憶されている上記した放送情報を受信順序の順に連続的に再生することができる。なお、本実施の形態では、予約番号○○に対応するフォルダ名は、「予約番号○○」であり、フォルダ名を指定することは、予約番号を指定することを示す場合について説明する。
本実施の形態の録音再生装置１００の概略構成図を図１に示す。図２は、録音再生装置１００の電気的な構成を示すブロック図である。図３は、録音再生装置１００の動作を実行させるための制御プログラムのフローチャート図である。図４〜図１６には、録音再生装置１００の表示器に表示される表示画面の例を示す。図１７，１８には、録音再生装置１００に記憶されている情報の一例を示す。図１９では、使用者の設定に基づいて複数の曜日にシリーズで放送される同じ番組の放送情報が、定期的に記憶され蓄積される状態を説明している。
【００１４】
まず、録音再生装置１００の概略構成を説明する。
図１に示すように、本実施の形態の録音再生装置１００は、使用者が携帯可能な大きさの直方体形状に構成されている。録音再生装置１００には、表示部１１０、前面操作部１２０、スピーカ１３０、マイク１４０、側面制御部１５０、メモリカードスロット１６０、ＵＳＢ端子１７０が配設されている。
表示部１１０は、録音再生装置１００の前面（使用者側）上部に設けられている。表示部１１０は、液晶表示器で構成された表示器１１１、録音時には点灯し録音時以外には消灯する録音ＬＥＤ１１２を備えている。
前面操作部１２０は、録音再生装置１００の前面において表示部１１０の下方に設けられている。前面操作部１２０は、ラジオの放送情報の予約録音の設定を行う際に操作する予約キー１２１、表示器１１１に表示されて選択されている項目（例えば、カーソル５００が表示されている項目（併せて図５参照。））に決定する操作を行う決定キー１２２、選択されている項目を削除する操作を行う削除キー１２６、表示器１１１に表示されたカーソル５００を移動するキー１２３ａ，１２３ｂ，１２４ａ，１２４ｂ、マイク１４０から入力された音声情報等を録音する際に操作する録音キー１２５を備えている。なお、録音された放送情報や音声情報を再生する場合には、決定キー１２２により再生の開始及び停止が、キー１２４ａにより早送りが、キー１２４ｂにより巻き戻し（遡り）が操作される。
スピーカ１３０は、録音再生装置１００の前面において前面操作部１２０の下方に設けられている。スピーカ１３０は、録音再生装置１００で受信したラジオの放送情報や、録音再生装置１００に記憶されている放送情報や音声情報を出力可能に構成されている。
マイク１４０は、録音再生装置１００の前面において上方のコーナー部に設けられている。マイク１４０から入力された音声情報は、前述した録音キー１２５が操作されることで録音再生装置１００に記憶可能に構成されている。
【００１５】
側面操作部１５０は、録音再生装置１００の一方の側面に設けられている。側面操作部１５０は、放送情報や音声情報を再生する際のボリュームを設定可能なボリューム設定キー１５１、リセットキー１５２を備えている。
メモリカードスロット１６０は、録音再生装置１００の他方の側面に設けられており、メモリカード４００（併せて、図２参照）が挿入されセット可能に構成されている。
ＵＳＢ端子１７０は、録音再生装置１００の底面に設けられており、ＵＳＢケーブルを用いてＰＣ等と接続することで、録音再生装置１００とＰＣ等との通信が可能に構成されている。
【００１６】
次に、図２を用いて録音再生装置１００の電気的構成の概略を説明する。
録音再生装置１００には、予め記憶されている制御プログラムに基づいて録音再生装置１００の動作を制御するＣＰＵ３００と、ラジオの放送情報やマイク１４０から入力された音声情報が記憶される記憶手段３１０（ＲＡＭ等で構成されている。）が設けられている。ＣＰＵ３００や記憶手段３１０は、バス２００に接続されている。なお、ＣＰＵ３００には、後述する予約設定処理手段３０１と予約録音処理手段３０２が設けられている。また、記憶手段３１０には、後述する予約情報記憶部３１１と放送情報記憶部３１２が設けられている。
また、ラジオの放送情報を受信するラジオ受信手段２１１が、受信手段インターフェース２１０を介してバス２００に接続されている。
また、前面操作部１２０（併せて、図１参照）や側面操作部１５０に設けられている各種入力キーが、入力キーインターフェース２２０を介してバス２００に接続されている。
また、マイク１４０（併せて、図１参照）が、音声入力回路２３０を介してバス２００に接続されている。
また、表示器１１１や録音ＬＥＤ１１２が、表示制御回路２４０を介してバス２００に接続されている。
また、スピーカ１３０が、音声出力回路２５０を介してバス２００に接続されている。
また、メモリカードスロット１６０の各端子（特に図示していない。）が、メモリカードインターフェース２６０を介してバス２００に接続されている。
また、ＵＳＢ端子１７０（併せて、図１参照）の各ピン（特に図示していない。）が、外部入出力インターフェース２７０を介してバス２００に接続されている。
【００１７】
これにより、ＣＰＵ３００は、予め記憶されている制御プログラムに基づいて、前面操作部１２０、側面操作部１５０に設けられている入力キーからの入力情報を用いて、ラジオの放送情報の受信、放送情報や音声情報の録音（記憶）、放送情報の録音（記憶）の予約の設定、記憶してある放送情報や音声情報の再生、記憶してある放送情報や音声情報の一覧の表示等の動作を実行する。
例えば、入力キーを用いて、予め、ラジオ受信手段２１１で受信する放送情報の「予約録音設定」、すなわち、記憶する放送情報のチャンネルや予約時間帯や放送情報の記憶先（記憶手段１３０あるいはメモリカード４００）等の設定を行い、設定された予約時間帯に達したら、ラジオ受信手段２１１を作動させ、該当する放送情報を受信して記憶させる。記憶先がメモリカード４００に設定されている場合には、メモリカードインターフェース２６０を用いて放送情報を記憶させる。この予約録画の動作については、詳細を後述する。
また、ＣＰＵ３００は、マイク１４０から入力された音声情報を設定された記憶先（記憶手段１３０あるいはメモリカード４００）に記憶させることができる。
また、ＣＰＵ３００は、表示制御回路２４０を用いて、録音中においては、録音ＬＥＤ１１２を点灯させる。また、表示器１１１に、後述する「メニュー画面」や「予約録音設定画面」、記憶してある放送情報の一覧等を表示させることができる。
また、ＣＰＵ３００は、音声出力回路２５０を用いて、ラジオ受信手段２１１で受信した放送情報や、記憶手段３１０に記憶させている放送情報や音声情報をスピーカ１３０から出力する。
また、ＣＰＵ３００は、外部入出力インターフェース２７０を用いて、ＵＳＢ端子１７０及びＵＳＢケーブルを介してＰＣ等の外部機器と通信を行う。
【００１８】
次に、録音再生装置１００の各動作の詳細を説明する。特に、ラジオ受信手段２１１で受信する放送情報の「予約録音設定」を行い、「予約録音設定」に基づいて同じ予約番号に対応して複数の曜日にシリーズで放送される放送情報を定期的に記憶し、その後、記憶してある放送情報を適宜再生する動作の詳細を図３〜図１９を参照して説明する。
図３では、ＣＰＵ３００（併せて、図２参照）が実行する制御プログラムのフローチャートを示す。制御プログラムは、ＣＰＵ３００が有するメモリあるいは外付けのＲＯＭ（特に図示していない。）等に記憶されており、ＣＰＵ３００により適宜のタイミングで読み出されて実行される。
ステップＳ１０では、録音再生装置１００に電源が投入され、予約録音設定、表示、再生・受信、録音のうちいずれの動作を行うかが選択される。ＣＰＵ３００は、表示器１１１に「メニュー画面」（併せて、図４参照）を表示し、使用者がメニューを選択し（カーソル５００を、キー１２３ａ，１２３ｂ，１２４ａ，１２４ｂを用いて選択するメニューの位置に移動し）決定キー１２２を操作すると、選択したメニューの動作を行うこと（選択したメニューのモードに移行すること）が決定される。ここで、「予約録音設定」が選択されて決定されると、ＣＰＵ３００は、ステップＳ１２の予約録音設定モードの処理に進む。
ステップＳ１２では、日時を指定して予約を行うか、定期的に（毎週同じ時間帯に）予約を行うかが選択される。ＣＰＵ３００は、表示器１１１に「予約設定画面」の初期画面（併せて、図５参照）を表示し、使用者が日時予約、定期的予約のいずれかを選択して決定する操作を行うと、選択した方の予約動作を行うことが決定される。ここで、「定期的予約」を行うことが決定されると、ＣＰＵ３００は、ステップＳ１４の処理に進む。
【００１９】
ステップＳ１４では、予約番号、番組のタイトル、チャンネル、曜日、予約時間帯が設定される。
まず、表示器１１１に、設定画面Ａ（併せて、図６参照）が表示される。設定画面Ａには、入力切替部Ａ１、予約番号表示部Ａ２、録音先表示部Ａ３、チャンネル表示部Ａ４が設けられている。入力切替部Ａ１の表示は、カーソル５００を入力切替部Ａ１に移動した状態で操作部１２０のキー１２４ａを操作する毎に、ＡＭ→ＦＭ→ＡＭ・・の順に切り替わる。予約番号表示部Ａ２には、初期状態では予約番号０１が表示されており、カーソル５００を予約番号表示部Ａ２に移動した状態で操作部１２０のキー１２４ａを操作する毎に、予約番号として１ずつ加算された数字が表示される。また、操作部１２０のキー１２４ｂを操作する毎に、予約番号として１ずつ減算された数字が表示される。録音先表示部Ａ３の表示は、カーソル５００を録音先表示部Ａ３に移動した状態で操作部１２０のキー１２４ａを操作する毎に、内部メモリ（記憶手段３１０）→メモリカード→内部メモリ・・の順に切り替わる。チャンネル表示部Ａ４には、予約録音する番組のチャンネルの周波数が表示される。チャンネルの周波数は、カーソル５００をチャンネル表示部Ａ４に移動した状態で操作部１２０のキー１２４ａを操作する毎に高く、操作部１２０のキー１２４ｂを操作する毎に低く表示される。図６に示す設定画面Ａでは、「予約番号０１」に対応して、ＡＭ放送の周波数６９３ｋＨｚの放送情報を内部メモリに予約録音することが表示されている。
なお、チャンネル（放送局）に対応して受信周波数が予め記憶されている場合には、チャンネル表示部Ａ４には、放送局が設定されるように構成されていてもよい。また、放送局の番号に対応して受信周波数が予め記憶されている場合には、チャンネル表示部Ａ４には、放送局の番号が設定されるように構成されていてもよい。ここで、操作部１２０の決定キー１２２を操作すると、表示されている予約録音の設定が決定され、表示器１１１に図７に示す設定画面Ｂが表示される。
このように、操作部１２０の各入力キーを操作して、設定画面Ａにより予約録音の設定を行うことができる。なお、予約録音の設定を行う場合の入力キーの操作方法については、本発明の主旨とは関係ないので、以下では簡略化して説明する。
【００２０】
図７に示す設定画面Ｂには、予約番号表示部Ｂ１、予約録音曜日設定部Ｂ２、予約録音開始時刻設定部Ｂ３、予約録音終了時刻設定部Ｂ４、追加設定キーＢ５が設けられている。使用者は、操作部１２０の入力キーを用いて、予約録音を行う曜日を予約録音曜日設定部Ｂ２に表示させ、予約録音を開始する時刻を予約録音開始時刻設定部Ｂ３に表示させ、予約録音を終了する時刻を予約録音終了時刻設定部Ｂ４に表示させる。図７に示す設定画面Ｂでは、「予約番号０１」に対応して、月曜日の１０時に録音を開始して１０時１５分に録音を終了することが表示されている。ここで、決定キー１２２が操作されると、予約録音の曜日及び時間帯の設定が終了されて、図９に示す設定画面Ｄ（タイトル入力画面）が表示される。また、追加設定キーＢ６が操作されると、同じ予約番号に対応して予約録音の曜日及び時間帯を追加する、図８に示す設定画面Ｃが表示される。
【００２１】
図８に示す設定画面Ｃには、図７に示す設定画面Ｂと同様の設定項目が表示されている。図８に示す設定画面Ｃでは、「予約番号０１」に対応して、さらに、水曜日の１７時に録音を開始して１７時１５分に録音を終了することが表示されている。ここで、決定キー１２２が操作されると、予約録音の曜日及び予約時間帯の設定が終了されて、図９に示す設定画面Ｄが表示される。また、再び、追加設定キーＢ６が操作されると、同じ予約番号に対応して予約録音の曜日及び時間帯を追加する設定画面が再び表示される。本実施の形態では、使用者は、この設定画面を用いて、さらに、「予約番号０１」に対応して、金曜日の２２時に録音を開始して２２時１５分に録音を終了することを設定し、終了キーを操作する。これにより、表示器１１１には、図９に示す設定画面Ｄが表示される。
【００２２】
図９に示す設定画面Ｄには、予約番号に対応して放送情報のタイトルを入力するか否かの問い合わせが表示されている。タイトルを入力する場合にはＹＥＳを、入力しない場合にはＮＯを選択して決定キー１２２を操作する。
ＹＥＳを選択した場合には、表示器１１１に、図１０に示す設定画面Ｅが表示される。使用者は、操作部１２０の入力キーを用いて予約番号に対応する放送情報のタイトルを入力する。ここでは、予約番号１に対応して「Ｎラジオ初級英会話」というタイトルが入力されている。使用者が決定キー１２２を操作すると、設定画面Ｅで入力されたタイトルが設定され、図１１に示す「予約録音設定内容表示画面Ｆ」が表示される。
【００２３】
図１１に示す「予約録音設定内容表示画面Ｆ」では、使用者が、設定画面Ａ〜設定画面Ｅを用いて設定した予約録音の設定内容が表示される。使用者は、ここで表示されている内容でよければ、決定キー１２２を操作する。修正する場合には、各設定画面に戻るキーＦ１を操作して各設定画面に戻って設定し直す。操作部１２０の決定キー１２２を操作すると、予約番号１として設定した予約録画の設定内容が決定され、図１２に示す表示画面Ｇが表示される。表示画面Ｇには、さらに、他の予約番号に対応して予約録画の設定を行うか否かの問い合わせが表示されている。他の予約番号に対応して予約録画の設定を行う場合にはＹＥＳを、行わない場合にはＮＯを選択して操作部１２０の決定キー１２２を操作する。
ＹＥＳを選択した場合には、表示器１１１に、再び図６に示す設定画面Ａが表示される。使用者は、予約番号１の場合と同様にして、他の予約番号に対応する予約録画の設定を行う。本実施の形態では、予約番号２に対応して、Ｈラジオ局の水曜日２２時〜２２時１５分及び木曜日１０時〜１０時１５分の「Ｈラジオドイツ語」（タイトル）を設定する。
ＮＯを選択した場合には、表示器１１１に、各予約番号に対応する予約録音の設定内容の一覧（図１３に示す「予約録音設定内容表示画面Ｈ」）が表示される。この場合、表示する内容が多く表示器１１１の１画面に表示できない場合には、使用者がスクロール操作をする（例えば、操作部１２０のキー１２３ｂを操作する）ことにより表示を見ることができるように構成されていればよい。図１３に示す「予約録音設定内容表示画面Ｈ」には、使用者が予約番号１及び予約番号２に対応させて設定した予約録音の設定内容が表示されている。使用者は、ここで表示されている内容を決定するには、操作部１２０の決定キー１２２を操作する。修正する場合には、各設定画面に戻るキーＦ１を操作して各設定画面に戻って設定し直す。
なお、各表示画面には、適宜、決定キーや削除キー等が表示され、操作部１２０の決定キー１２２や削除キー１２５ではなく、表示画面に表示されているキーを用いて選択した項目の決定や削除の操作が行われてもよい。例えば、カーソル５００を表示画面に表示されている決定キーや削除キーの位置に移動し、前面操作部１２０の決定キー１２２を操作する。
【００２４】
このようにして、図３に示すステップＳ１４で、予約番号、番組の放送情報のタイトル、チャンネル（受信周波数）、曜日、予約時間帯（録音開始時刻と録音終了時刻）が設定される。ＣＰＵ３００は予約録音の設定情報を、記憶手段３１０の予約情報記憶部３１１（併せて、図２参照）に記憶させておく。
ここで、予約情報記憶部３１１（併せて、図１７参照）には、ステップＳ１４で使用者が設定した予約録音の設定内容が記憶されている。予約情報記憶部３１１には、予約番号［ｓ１］に対応して、使用者が設定したタイトル［ｓ２］、チャンネル（受信周波数）［ｓ３］、予約番号に対応して設定された曜日及び予約時間帯［ｓ４］、当該予約番号に対応するフォルダのフォルダ名［ｓ５］が記憶されている。
そして、ＣＰＵ３００は、ステップＳ１６の処理に進む。
【００２５】
ステップＳ１６では、ステップＳ１４で設定された、いずれかの予約番号のいずれかの予約時間帯の開始時刻に達しているか否かが判別される。いずれかの予約番号のいずれかの予約時間帯の開始時刻に達していれば（ステップＳ１６のＹＥＳ）、ＣＰＵ３００はステップＳ１８の処理に進む。いずれの予約番号のいずれの開始時刻にも達していなければ（ステップＳ１６のＮＯ）、ＣＰＵ３００はステップＳ２４の処理に進む。
ステップＳ１８では、ラジオ受信手段２１１が作動され、予約時間帯の開始時刻に達した予約番号に対応して予約情報記憶部３１１に記憶されているチャンネル［ｓ３］の放送情報が受信される。ＣＰＵ３００は、受信した放送情報を、記憶手段３１０の放送情報記憶部３１２の、予約番号に対応するフォルダ（フォルダ名［ｔ１］が当該予約番号のフォルダ）に記憶させる（録音させる）。そして、ステップＳ２０の処理に進む。
ステップＳ２０では、ＣＰＵ３００は、該当する予約番号の予約時間帯の終了時刻に達しているか否かを判別する。該当する予約番号の予約時間帯の終了時刻に達していれば（ステップＳ２０のＹＥＳ）、ＣＰＵ３００はステップＳ２２の処理に進む。終了時刻に達していなければ（ステップＳ２０のＮＯ）、ＣＰＵ３００はステップＳ１８の処理に戻って録音を続ける。
ステップＳ２２では、録音が終了される。そして、ＣＰＵ３００はステップＳ２４の処理に進む。
ステップＳ２４では、リセット操作が行われているか否か（側面操作部１５０のリセットキー１５２が操作されているか否か）が判別される。リセット操作が行われていなければ（ステップＳ２４のＮＯ）、ステップＳ１６の処理に戻って、また、いずれかの予約番号のいずれかの予約時間帯の開始時刻に達するまで待機する。リセット操作が行われていれば（ステップＳ２４のＹＥＳ）終了する。なお、リセット操作が行われていれば、録音中であっても終了するように構成されていてもよい。
このように、同じ予約番号に対応して複数の曜日と時間帯を設定できるので、図１３に示す予約番号１の「Ｎラジオ初級英会話」、予約番号２の「Ｈラジオドイツ語」のように、１週間に複数回シリーズで放送される放送情報も、同じ予約番号、すなわち同じタイトルで録音し蓄積しておくことができる。
【００２６】
したがって、放送情報記憶部３１２（併せて、図１８参照）には、放送情報が順次記憶される。図１８に示す放送情報記憶部３１２では、フォルダ名（予約番号）［ｔ１］に対応して、放送情報の番号［ｔ２］、当該放送情報が再生済みか否かを示す再生識別情報［ｔ３］、ステップＳ１４で使用者が設定した当該放送情報のタイトル［ｔ４］、当該放送情報を受信した日付及び曜日及び受信時間帯［ｔ５］、当該放送情報［ｔ６］が記憶されている。
日付順に見てみると、図１９に示すように、２月２日（水）が終了する時点では、放送情報記憶部３１２のフォルダ「予約番号１」に予約番号１の放送情報Ｅ１（２月２日（水）、１７時〜１７時１５分に放送された「Ｎラジオ初級英会話」の放送情報）が、フォルダ「予約番号２」に予約番号２の放送情報Ｇ１（２月２日（水）、２２時〜２２時１５分に放送された「Ｈラジオドイツ語」の放送情報）が記憶されている。そして、２月３日（木）が終了する時点では、さらに、フォルダ「予約番号２」に予約番号２の放送情報Ｇ２（２月３日（木）、１０時〜１０時１５分に放送された「Ｈラジオドイツ語」放送情報）が記憶されている。同様にして、２月８日が終了した時点では、フォルダ「予約番号１」に放送情報Ｅ１，Ｅ２，Ｅ３が、フォルダ「予約番号２」に放送情報Ｇ１，Ｇ２が、記憶され蓄積されている（併せて、図１８参照）。
【００２７】
また、図３に示すステップＳ１２で、「日時予約」が選択されて決定されると、ＣＰＵ３００は、ステップＳ２６の処理に進む。
ステップＳ２６では、予約番号、番組のタイトル、チャンネル、日付、予約時間帯が設定される。ここでは、表示器１１１に、図４〜図１３に示した設定画面（ステップＳ１４の処理で用いた設定画面）と同様な表示画面が表示される。なお、図４〜図１３に示した設定画面では“曜日”を入力していたところ、ステップＳ２６で表示する設定画面では、“日付”を入力する構成となっている（特に図示していない。）。そして、ＣＰＵ３００は、ステップＳ２８の処理に進む。
ステップＳ２８，３０，３２の処理は、前述したステップＳ１６，１８，２０の処理とそれぞれ同様である。
ステップＳ３４では、ＣＰＵ３００は、録音を終了する。
これにより放送情報記憶部３１２には、日時が設定された単発的な（定期的ではない）放送情報が記憶される。
【００２８】
また、ステップＳ１０で、「表示・再生」が選択されて決定されると、ＣＰＵ３００は、ステップＳ３６の表示・再生モードの処理に進む。
ステップＳ３６では、ＣＰＵ３００は、表示器１１１に、「録音情報一覧表示画面Ｊ」（併せて、図１４参照）を表示する。「録音情報一覧表示画面Ｊ」には、放送情報が記憶されているフォルダ名（予約番号）がフォルダ名表示部Ｊ１に、フォルダ名（予約番号）に対応して設定されているタイトルがタイトル表示部Ｊ２に表示される。また、「録音情報一覧表示画面Ｊ」には、選択したフォルダ名（予約番号）に対応して記憶されている放送情報を全て表示させる全表示キーＪ４、選択したフォルダ名（予約番号）に対応して記憶されている放送情報のうち未再生の放送情報のみを抽出して表示させる未再生表示キーＪ５、選択した予約番号に対応して記憶されている放送情報を全て再生させる全再生キーＪ６、選択した予約番号に対応して記憶されている放送情報にうち未再生の放送情報のみを抽出して再生させる未再生の再生キーＪ７が設けられている。
ステップＳ３７では、ＣＰＵ３００は、「録音情報一覧表示画面Ｊ」に表示された全表示キーＪ４、未再生表示キーＪ５、全再生キーＪ６、未再生の再生キーＪ７のうちいずれが操作されたかを判別する。全表示キーＪ４が操作されていればステップＳ３８に進む。未再生表示キーＪ５が操作されていればステップＳ４４に進む。全再生キーＪ６が操作されていればステップＳ４８に進む。未再生の再生キーＪ７が操作されていればステップＳ４９に進む。
ステップＳ３８では、選択したフォルダ名（予約番号）に対応して記憶されている放送情報を全て表示する。ここでフォルダ名（予約番号１）が選択されていれば、表示器１１１には、「表示画面Ｋ」（併せて、図１５参照）が表示される。「表示画面Ｋ」には、フォルダ名「予約番号１」に対応するフォルダに記憶されている放送情報が録音された日付Ｋ１、及び再生済みであるか否かを示す再生識別情報Ｋ２、表示されている放送情報を全て再生する全再生キーＫ３、未再生の放送情報のみを抽出して再生する未再生の再生キーＫ４、指定した放送情報のみを再生する個別再生キーＫ５、指定した放送情報以降の放送情報を再生する指定日以降の再生キーＫ６が設けられている。再生識別情報Ｋ２としては、当該放送情報が再生済みである場合には白丸が、当該放送情報が未再生である場合には黒丸が表示される。
ここで、全再生キーＫ３が操作されると、ステップＳ４０に進む。未再生の再生キーＫ４が操作されると、ステップＳ４１に進む。表示されている放送情報の中から所定の放送情報が指定され、個別再生キーＫ５が操作されると、ステップＳ４２に進む。表示されている放送情報の中から所定の放送情報が指定され、指定日以降の再生キーＫ６が操作されると、ステップＳ４３に進む。
ステップＳ４０では、ＣＰＵ３００は、表示されている放送情報を受信順序の順に全て再生し、終了する。
ステップＳ４１では、ＣＰＵ３００は、表示されている放送情報の中から未再生の放送情報のみ（例えば、図１５に示す２月４日分と２月７日分）を抽出して再生し、終了する。
ステップＳ４２では、ＣＰＵ３００は、表示されている放送情報の中から指定された放送情報のみ（例えば、図１５に示す２月４日分が指定されれば２月４日分のみ）を再生し、終了する。
ステップＳ４３では、ＣＰＵ３００は、表示されている放送情報の中から指定された放送情報以降の放送情報（例えば、図１５に示す２月４日分が指定されれば２月４日分と２月７日分）を受信順序の順に再生し、終了する。
【００２９】
また、ステップＳ４４では、選択したフォルダ名（予約番号）に対応する放送情報のうち未再生の放送情報を抽出して表示する。ここでフォルダ名「予約番号１」が選択されていれば、表示器１１１には、「表示画面Ｌ」（併せて、図１６参照）が表示される。「表示画面Ｌ」には、「予約番号１」に対応して放送情報記憶部３１２に記憶されている放送情報が録音された日付Ｌ１、指定した放送情報のみを再生する個別再生キーＬ５、指定した放送情報以降の放送情報を再生する指定日以降の再生キーＬ６が設けられている。
ここで、個別再生キーＬ５が操作されると、ステップＳ４６に進む。表示されている放送情報の中から所定の放送情報が指定され、指定日以降の再生キーＬ６が操作されると、ステップＳ４７に進む。
ステップＳ４６では、ＣＰＵ３００は、表示されている放送情報の中から指定された放送情報のみを再生し、終了する。
ステップＳ４７では、ＣＰＵ３００は、表示されている放送情報の中から指定された放送情報以降の放送情報を受信順序の順に再生し、終了する。
また、ステップＳ４８では、選択したフォルダ名（予約番号）に対応して記憶されている放送情報を受信順序の順に再生して終了する。
また、ステップＳ４９では、選択したフォルダ名（予約番号）に対応して記憶されている放送情報のうち未再生の放送情報のみを抽出して再生し、終了する。
【００３０】
また、ステップＳ１０で、「受信」が選択されて決定されると、ＣＰＵ３００は、ステップＳ５２の受信モードの処理に進む。
ステップＳ５２では、ラジオ受信手段２１１が作動され、使用者により操作部１２０を用いて指定されたチャンネルの放送情報が受信され、スピーカ１３０から出力される。そして、ＣＰＵ３００は、ステップＳ５４の処理に進む。
ステップＳ５４では受信の終了操作が行われているか否かを判別する。受信の終了操作が行われている場合（ステップＳ５４のＹＥＳ）には、受信を終了する。受信の終了操作が行われていない場合（ステップＳ５４のＮＯ）には、ステップＳ５２に戻って受信を続ける。
ラジオの放送情報を受信してスピーカ１３０から出力する動作や操作方法については、一般的な技術であるので詳細な説明を省略する。
【００３１】
また、ステップＳ１０で、「録音」が選択されて決定されると、ＣＰＵ３００は、ステップＳ５６の録音モードの処理に進む。
ステップＳ５６では、ＣＰＵ３００は、操作部１２０の録音キー１２５が操作されているか否かを判別し、録音キー１２５が操作されていればマイク１４０から入力された音声の音声情報を、記憶手段３１０に記憶する。そして、ＣＰＵ３００は、ステップＳ５８の処理に進む。
ステップＳ５８では、ＣＰＵ３００は、録音キー１２５が操作され続けているか否かを判別する。録音キー１２５が操作され続けていれば（ステップＳ５８のＮＯ）ステップＳ５６に戻り録音を継続する。録音キー１２５が操作されていなければ（ステップＳ５８のＹＥＳ）録音を終了する。
マイク１４０から入力された音声情報が記憶されている場合には、例えば、図１４に示す「録音情報一覧表示画面Ｊ」に、音声情報が記憶された日時が表示される構成となっている。
なお、マイク１４０から入力された音声情報を録音する動作及び操作方法については、一般的な技術であるので詳細な説明を省略する。
図３に示すステップＳ１４及びステップＳ２６の処理は、図２に示す予約設定処理手段３０１に対応する。また、図３に示すステップＳ１６，１８，２０，２２，２４，２８，３０，３２，３４の処理は、図２に示す予約記憶処理手段３０２に対応する。
本実施の形態では、予約番号○○｛図１７の（ｓ１）｝に対応するフォルダ名「予約番号○○」｛図１７の（ｓ５）、図１８の（ｔ１）｝が、本発明の「グループ識別情報」に対応する場合について説明したが、勿論、予約番号○○｛図１７の（ｓ１）｝が本発明の「グループ識別情報」に対応していてもよい。
【００３２】
本実施の形態の録音再生装置１００によれば、同じ予約番号［ｓ１］に対応させて複数の受信時間帯の放送情報を定期的に記憶することができるとともに、受信順序の順に連続して再生することができる。これにより、使用者は、複数の受信時間帯においてシリーズで放送された放送情報を受信順序の順に再生する場合、再生する放送情報を１つずつ選択する必要がなく、再生時の操作を簡単に行うことができる。
【００３３】
また、本実施の形態の録音再生装置１００によれば、同じフォルダ名（予約番号）［ｔ１］に対応して定期的に記憶されている同じ受信時間帯に放送される放送情報のうち、入力キーを用いて入力された受信順序判別情報（図１５に示す「表示画面Ｋ」で指定された放送情報の日付）で示される受信順序以降に受信された放送情報を受信順序の順に連続して再生することができる。これにより、使用者は、同じ受信時間帯においてシリーズで放送される放送情報を受信順序の順に再生する場合、再生する放送情報を１つずつ選択する必要がなく、再生時の操作を簡単に行うことができる。
また、本実施の形態の録音再生装置１００によれば、シリーズの放送情報のうち、未再生の放送情報を再生する際に、使用者は、再生済の放送情報（例えば、未再生の放送情報の直前の再生済みの放送情報）も再び再生したい場合がある。この場合、録音再生装置１００を用いれば、図１５に示す「表示画面Ｋ」で、当該再生済みの放送情報を指定すればよいので、再生時の設定操作を簡単に行うことができる。
【００３４】
また、本実施の形態の録音再生装置１００によれば、図１６に示すように、未再生の放送情報を一覧表示することができる。これにより、使用者は未再生の放送情報を把握し易い。
また、本実施の形態の録音再生装置１００によれば、図１４に示す未再生のみの再生キーＪ７を操作することで、未再生の放送情報を抽出して自動的に再生することができる。これにより、使用者が未再生の放送情報を再生する操作が簡単であり便利である。
【００３５】
（第２の実施の形態）
次に、第２の実施の形態を、図２０〜図２４を参照して説明する。
本実施の形態の録音再生装置の概略構成及び電気的構成は、図１、図２に示した第１の実施の形態の録音再生装置１００と同様である。
本実施の形態の録音再生装置では、図３に示した第１の実施の形態の制御プログラムのフローチャート図のステップＳ１８で、ラジオ受信手段を作動して放送情報を録音する際に、予約番号○○に対応するフォルダ名「予約番号○○」が付されたフォルダが自動的に設定（作成）され、当該予約番号に対応して記憶される放送情報がこのフォルダに記憶される。そして、ＰＣ等の外部機器を用いて、当該フォルダのフォルダ名「予約番号○○」が変更（以降、「リネーム」と称呼する。）されると、録音再生装置は、当該フォルダが存在しなくなったことを判別し、再びフォルダ名「予約番号○○」が付されたフォルダを作成する。
図２０には、予約番号に対応するフォルダ名が付されたフォルダが自動的に作成される状態を示す。図２１〜図２４には、録音再生装置の表示器に表示される表示画面の例を示す。
【００３６】
まず、図２０を用いて、予約番号に対応するフォルダ名が付されたフォルダが自動的に作成される動作を説明する。
なお、予約情報記憶手段には、図１７に示した第１の実施の形態と同じ予約情報が記憶されている。
これにより、２月２８日（月）の１０時１５分以降には、録音再生装置の放送情報記憶手段に、予約番号１に対応するフォルダ名「予約番号１」のフォルダに放送情報Ｅ１（２月２日分）〜Ｅ１２（２月２８日分）が記憶されている。また、予約番号２に対応するフォルダ名［フォルダ２］に放送情報Ｇ１（２月２日分）〜Ｇ８（２月２４日分）が記憶されている。
ここで、使用者が、３月１日（火）に、ＵＳＢ端子及びＵＳＢケーブルを用いて録音再生装置をＰＣに接続し、フォルダ名「予約番号１」を「初級英会話２月分」とリネームすると、予約番号１に対応するフォルダ名「予約番号１」のフォルダが存在しなくなる。
この状態で、予約番号１の放送情報Ｅ１３を受信する予約時間帯［３月２日（水）の１７時］になると（併せて、図１７参照）、ＣＰＵは、フォルダ名「予約番号１」のフォルダが存在しないことを判別し、フォルダ名「予約番号１」を付したフォルダを作成する。そして、ラジオ受信手段２１１により受信した放送情報Ｅ１３を、作成したフォルダに記憶させる。
３月２日（水）の２２時となり、予約番号２の放送情報Ｇ９を受信する時間帯となると（併せて、図１７参照）、ＣＰＵは、予約番号２に対応するフォルダ名「予約番号２」が付されたフォルダがあるか否かを判別する。フォルダ名「予約番号２」が付されたフォルダは存在するので、ＣＰＵは、ラジオ受信手段を作動させて受信した放送情報Ｇ９をこのフォルダに記憶させる。
【００３７】
次に、表示・再生モードが選択されて再生を行う場合の動作について、図２１〜図２４を用いて説明する。
まず、表示・再生モードが選択されると、ＣＰＵは、表示器に、図２１に示す「メニュー画面Ｍ」を表示する。「メニュー画面Ｍ」には、メニューとして、「フォルダ表示」及び「一覧表示」が表示されている。ここで、「フォルダ表示」が選択され決定される（カーソル５００により選択されて決定キーが操作される）と、図２２に示す「フォルダ表示画面Ｎ」が表示される。
「フォルダ表示画面Ｎ」には、各放送情報が記憶されているフォルダ名「予約番号１」、「予約番号２」、「初級英会話２月分」、「初級英会話１月分」等が表示される。また、「フォルダ表示画面Ｎ」には、選択したフォルダ名（予約番号）に対応して記憶されている放送情報を全て表示させる全表示キーＮ４、選択したフォルダ名（予約番号）に対応して記憶されている放送情報のうち未再生の放送情報のみを抽出して表示させる未再生表示キーＮ５、選択した予約番号に対応して記憶されている放送情報を全て再生させる全再生キーＮ６、選択した予約番号に対応して記憶されている放送情報にうち未再生の放送情報のみを抽出して再生させる未再生の再生キーＮ７が設けられている。ここで、フォルダ名「２月分」が選択され、なおかつ全表示キーＮ４が操作されると、図２３に示す「表示画面Ｏ」が表示される。
「表示画面Ｏ」には、フォルダ名「２月分」のフォルダに記憶されている放送情報を示す放送情報判別情報（ファイル名；「２月２日分」等）、及び再生済み識別情報（白丸、黒丸等）等が表示される。また、「表示画面Ｋ」には、表示されている放送情報を全て再生する全再生キーＯ３、未再生の放送情報のみを抽出して再生する未再生の再生キーＯ４、指定した放送情報のみを再生する個別再生キーＯ５、指定した放送情報以降の放送情報を再生する指定日以降の再生キーＯ６が設けられている。これらの再生キーが操作されることによる再生動作は、第１の実施の形態と同様である。
なお、例えば、図２２に示す「フォルダ表示画面Ｎ」で、フォルダ名「予約番号１」（現在、予約記憶処理手段が、予約番号１に対応する放送情報を受信して順次記憶しているフォルダ）が選択されると、図２３に示す「表示画面Ｏ」には、３月２日（水）の１７時１５分以降には、放送情報Ｅ１３（３月２日分）が表示される（特に図示していない。）。
【００３８】
また、図２１に示す「メニュー画面Ｍ」で、「一覧表示」が選択されると、図２４に示す「表示画面Ｐ」が表示される。「表示画面Ｐ」には、各放送情報の放送情報判別情報（ファイル名；「２月２日分」等）、各放送情報が記憶されているフォルダのフォルダ名（「２月分」、「フォルダ１」等）、各放送情報の再生済み識別情報（白丸、黒丸等）等が表示される。また、「表示画面Ｐ」には、表示されている放送情報を全て再生する全再生キーＰ３、未再生の放送情報のみを抽出して再生する未再生の再生キーＰ４、指定した放送情報のみを再生する個別再生キーＰ５、指定した放送情報以降の放送情報を再生する指定日以降の再生キーＰ６が設けられている。これらの再生キーが操作されることによる再生動作は、第１の実施の形態と同様である。
なお、図２１に示す「メニュー画面Ｍ」では、各放送情報がフォルダ名毎に纏めて表示されているが、所定の操作を行うことにより、日付順等に並べ替え可能に表示されるように構成されていてもよい。
【００３９】
本実施の形態の録音再生装置によれば、使用者により所望のタイミングで、予約番号に対応するフォルダ名がリネームされた場合等、当該フォルダが存在しなくなった場合に、録音再生装置は、再度、予約番号に対応するフォルダ名のフォルダを記憶手段に作成する。そして、次に当該予約番号に対応して受信した放送情報を、作成したフォルダに記憶させることができる。したがって、使用者が所望のタイミングで、フォルダに所望の名称を付けて分類して管理するための操作等が容易であり、分類して管理してあれば、再生時の操作を簡単に行うことができる。
【００４０】
なお、本実施の形態では、リネームされたフォルダ名のフォルダは、例えば、予約番号１を用いて放送情報が記憶されたフォルダであることを示す情報は存在しなくなる場合について説明したが、リネームされた後のフォルダに、当該情報（例えば、以前は、フォルダ名「予約番号１」のフォルダであったという情報）が付して（残して）あってもよい。これによれば、図２５に示すように、各放送情報が各フォルダに記憶された際の予約番号に関連付けて各フォルダを表示することができる。
本実施の形態では、録音再生装置の記憶手段に放送情報を記憶する場合について説明したが、記憶先はメモリカードでもよい。この場合、メモリカードを交換すると、交換後のメモリカードには、予約情報１に対応するフォルダ名「予約情報１」のフォルダは存在しない状態なので、再度フォルダ名「予約番号１」のフォルダが作成される。また、当該フォルダが他の記憶手段（例えば、接続したＰＣの記憶手段）に移動された場合も、予約情報１に対応するフォルダ名「予約番号１」のフォルダは存在しなくなるので、再度フォルダ名「予約番号１」のフォルダが作成される。
また、本実施の形態では、フォルダ名「予約番号１」がリネームされた後、次に予約番号１に対応する放送情報を記憶させる時に、フォルダ名「予約番号１」のフォルダが存在するか否かが判別され、存在しなければ再度フォルダ名「予約番号１」のフォルダが作成される場合について説明したが、リネームされた時に、再度当該フォルダが作成されるように構成されていてもよい。
また、本実施の形態では、予約番号１に対応する放送情報は自動的にフォルダ名「予約番号１」に記憶させる場合について説明したが、記憶先のフォルダは、使用者が指定可能に構成されていてもよい。例えば、リネーム後のフォルダを指定することにより指定したフォルダに受信した放送情報を記憶させることができるように構成されていてもよい。
【００４１】
本発明は、実施の形態で説明した構成に限定されず種々の変更、追加、削除が可能である。
なお、実施の形態の録音再生装置１００は、ＰＣ等と通信可能に構成されている。例えば、録音再生装置１００で録音した放送情報をＵＳＢ端子１７０、ＵＳＢケーブルを介してＰＣに出力し、ＰＣで管理することができる。例えば、ＰＣで放送情報のタイトル（ｔ４）等を変更し、変更した情報を録音再生装置１００が受信することで、放送情報記憶部３１２に記憶されている各放送情報のタイトル（ｔ４）を更新する操作等を行うことができる。また、ＰＣで放送情報が記憶されているフォルダを分割したり統合したりすることもできる。
また、録音再生装置１００が、上記したような放送情報のタイトルやフォルダ名を設定する操作をすることができるように構成されていてもよい。これによれば、放送情報のタイトルやフォルダ名を設定するために、ＰＣに接続する手間が省け、利便性が向上する。
また、放送情報や音声情報をメモリカード４００に記憶させておけば、メモリカード４００を他の外部機器に接続して放送情報や音声情報を再生することができる。
また、録音再生装置１００には、図１に示した構成の他に、外部スピーカへの接続端子や、外付けマイクの接続端子や、イヤホン端子、入力キーをロックするスイッチ、充電端子等が設けられていてもよい。
実施の形態では、予約設定時に、図６で示す「設定画面Ａ」で、使用者が予約番号を設定する場合について説明したが、予約番号は録音再生装置１００で自動的に設定されるように構成してもよい。これによれば、予約設定の操作が簡略化される。
また、実施の形態では、再生識別情報は放送情報が再生したか未再生であるかを示す識別情報として説明したが、再生識別情報は再生した回数であってもよい。この場合、図１５に示した「表示画面Ｋ」や、図２３に示した「表示画面Ｏ」や、図２４に示した「表示画面Ｐ」に再生した回数を表示することができる。これによれば、使用者が、記憶されている放送情報を繰り返し再生する場合に、再生した回数を把握することができ便利である。特に、放送情報として語学学習の番組の放送情報が記憶されている場合には、繰り返し再生して学習する頻度が高いので学習効果を向上させることができる。
また、再生モードで放送情報が再生されている際に、録音キー１２５が操作されると、マイク１４０から入力された音声情報を再生中の放送情報に被せて録音できるように構成されていてもよい。これによれば、例えば、放送情報が語学学習の番組の放送情報である場合に、後に、手本となる言語の発音と使用者による言語の発音を比較して再生することができ学習効果を向上させることができる。
また、実施の形態では、同じ予約番号に対応して、複数の曜日にシリーズで放送される同じ番組の放送情報を定期的に録音（記憶）して蓄積する場合について説明したが、曜日は複数ではなくてもよく、受信時間帯が複数であってもよい。例えば、今週の水曜日の１７時〜１７時１５分に“レッスン１”、同じ水曜日の２２時〜２２時１５分に“レッスン２”、来週の水曜日の１７時〜１７時１５分に“レッスン３”、同じ水曜日の２２時〜２２時１５分に“レッスン４”、・・が放送される場合にも、本発明の録音再生装置１００を用いることができる。また、勿論、同じ予約番号に対応して、単一の同じ曜日にシリーズで放送される同じ番組の放送情報を定期的に録音（記憶）して蓄積する場合にも本発明を適用することができる。
また、実施の形態では、ラジオの音声の放送情報を受信して記憶手段３１０に記憶させたが、テレビの音声の放送情報を受信して記憶させてもよい。また、テレビの映像の放送情報を受信して記憶、再生等ができる構成となっていてもよい。これによれば、録音再生装置に記憶させておくことができる放送情報の種類が増え、利便性が向上する。
また、実施の形態の録音再生装置の表示器に、タッチセンサ入力機能が設けられていてもよい。これによれば、キー操作が簡単になり利便性が向上する。
【図面の簡単な説明】
【００４２】
【図１】本発明の第１の実施の形態の録音再生装置１００の概略構成図である。
【図２】録音再生装置１００の電気的構成を示すブロック図である。
【図３】録音再生装置１００のＣＰＵ３００が実行する制御プログラムのフローチャート図である。
【図４】第１の実施の形態の表示器１１１に表示される「メニュー画面」を示す。
【図５】第１の実施の形態の表示器１１１に表示される「予約設定画面」の初期画面を示す。
【図６】第１の実施の形態の表示器１１１に表示される「予約設定画面」の設定画面Ａを示す。
【図７】第１の実施の形態の表示器１１１に表示される「予約設定画面」の設定画面Ｂを示す。
【図８】第１の実施の形態の表示器１１１に表示される「予約設定画面」の設定画面Ｃを示す。
【図９】第１の実施の形態の表示器１１１に表示される「予約設定画面」の設定画面Ｄを示す。
【図１０】第１の実施の形態の表示器１１１に表示される「予約設定画面」の設定画面Ｅを示す。
【図１１】第１の実施の形態の表示器１１１に表示される「予約設定画面」の設定画面Ｆを示す。
【図１２】第１の実施の形態の表示器１１１に表示される「予約設定画面」の設定画面Ｇを示す。
【図１３】第１の実施の形態の表示器１１１に表示される「予約設定画面」の設定画面Ｈを示す。
【図１４】第１の実施の形態の表示器１１１に表示される「録音情報一覧表示画面Ｊ」を示す。
【図１５】第１の実施の形態の表示器１１１に表示される表示画面Ｋを示す。
【図１６】第１の実施の形態の表示器１１１に表示される表示画面Ｌを示す。
【図１７】第１の実施の形態で、記憶手段３１０の予約情報記憶部３１１に記憶されている予約設定情報の一例を示す。
【図１８】第１の実施の形態で、記憶手段３１０の放送情報記憶部３１２に記憶されている放送情報、及び当該放送情報に関連して記憶されている情報の一例を示す。
【図１９】第１の実施の形態で、放送情報記憶部３１２に放送情報が順次記憶される動作を説明する図である。
【図２０】第２の実施の形態で、予約番号に対応するフォルダ名のフォルダが自動的に設定（作成）される状態を示す。
【図２１】第２の実施の形態の表示器に表示される「メニュー画面Ｍ」を示す。
【図２２】第２の実施の形態の表示器に表示される「フォルダ表示画面Ｎ」を示す。
【図２３】第２の実施の形態の表示器に表示される表示画面Ｏを示す。
【図２４】第２の実施の形態の表示器に表示される表示画面Ｐを示す。
【図２５】図２２に示した「フォルダ表示画面Ｎ」の変更例である。
【符号の説明】
【００４３】
１００  録音再生装置
１１０  表示部
１１１  表示器
１２０  操作部
１２１  予約キー
１２２  決定キー
１３０  スピーカ
１４０  マイク
１６０  メモリカードスロット
２００  バス
２１１  ラジオ受信手段
３００  ＣＰＵ
３０１  予約設定処理手段
３０２  予約録音処理手段
３１０  記憶手段
３１１  予約情報記憶部
３１２  放送情報記憶部
４００  メモリカード
【図１】
2006217534.tif 000003
【図２】
2006217534.tif 000004
【図３】
2006217534.tif 000005
【図４】
2006217534.tif 000006
【図５】
2006217534.tif 000007
【図６】
2006217534.tif 000008
【図７】
2006217534.tif 000009
【図８】
2006217534.tif 000010
【図９】
2006217534.tif 000011
【図１０】
2006217534.tif 000012
【図１１】
2006217534.tif 000013
【図１２】
2006217534.tif 000014
【図１３】
2006217534.tif 000015
【図１４】
2006217534.tif 000016
【図１５】
2006217534.tif 000017
【図１６】
2006217534.tif 000018
【図１７】
2006217534.tif 000019
【図１８】
2006217534.tif 000020
【図１９】
2006217534.tif 000021
【図２０】
2006217534.tif 000022
【図２１】
2006217534.tif 000023
【図２２】
2006217534.tif 000024
【図２３】
2006217534.tif 000025
【図２４】
2006217534.tif 000026
【図２５】
2006217534.tif 000027